(57)【要約】【課題】  使用後不要になった封筒を切り開いて使用頻度の高い小型サイズの封筒として再利用することが可能な大型封筒を提供する。【解決手段】  表面及び裏面のいずれか一方又は両方に広告欄を有し、該広告欄の広告主から提供される大型封筒１０であって、その内側面に小型サイズの封筒の展開図１５が印刷されている。ここで、封筒は定型封筒であって、その表側面の所定位置には郵便番号の記載欄３３が設けられ、大型封筒１０の一つの折り曲げ線を封筒の折り曲げ線の一つに用いていることが好ましい。更に、大型封筒１０の展開図１５を除く内側面には、大型封筒１０が使用される地区あるいはその近傍の郵便番号が記載され、広告主の名称記載欄２７が設けられている。【選択図】        図２
0003105557.tif 000002
【実用新案登録請求の範囲】
【請求項１】
表面及び裏面のいずれか一方又は両方に広告欄を有し、該広告欄の広告主から提供される大型封筒であって、
その内側面に小型サイズの封筒の展開図が印刷されていることを特徴とする大型封筒。
【請求項２】
請求項１記載の大型封筒において、前記小型サイズの封筒は定型封筒であって、その表側になる面の所定位置には、郵便番号の記載欄が設けられていることを特徴とする大型封筒。
【請求項３】
請求項２記載の大型封筒において、前記大型封筒の一つの折り曲げ線を前記小型サイズの封筒の折り曲げ線の一つに用いていることを特徴とする大型封筒。
【請求項４】
請求項３記載の大型封筒において、前記展開図を除く前記内側面には、前記大型封筒が使用される地区あるいはその近傍の郵便番号が記載されていることを特徴とする大型封筒。
【請求項５】
請求項３記載の大型封筒において、前記展開図を除く前記内側面には、前記広告主の名称記載欄が設けられていることを特徴とする大型封筒。
【考案の詳細な説明】
【技術分野】
【０００１】
本考案は、切り開いて小型サイズの封筒として再利用できる大型封筒に関する。
【背景技術】
【０００２】
従来、経費削減、紙資源の有効活用、更には地球環境保護の観点から、使い捨てが前提となっている封筒の使用方法が問題になっている。
そこで、例えば、特許文献１には、図３に示す展開図１００から形成され、図４に示すように、表面の宛名書き部分１０１、１０２が二重になっている封筒１０３が提案されている。そして、送付されてきた封筒１０３の封緘部分１０４を切り取りミシン線１０５に従い切り落とし、次いで封筒１０３の両側の各ミシン線１０６、１０７部分を内側から切り開くと、両側が切り離され下端のミシン線１０８部分でつながった状態の宛名書き部分１０１が得られ、下端のミシン線１０８に沿って宛名書き部分１０１を切り取ると、図５に示すような新品と同様の封筒１０９を出現させることができ、これを再利用することができる。なお、符号１１０、１１１はそれぞれ封筒１０３、１０９用の封舌片、符号１１２、１１３はそれぞれ封筒１０３、１０９用の側部接着片、符号１１４、１１５はそれぞれ封筒１０３、１０９用の底部接着片である。
【０００３】
【特許文献１】実開平６−２７５７６号公報
【考案の開示】
【考案が解決しようとする課題】
【０００４】
特許文献１に記載された考案の封筒は、発信者に対して直ちに返信する場合、新たに封筒を準備する必要がないため有効である。しかし、返信されないで廃棄される場合は、従来の封筒に対してコスト高になると共に、紙の使用量も増加するため省資源の観点からも好ましくない。また、封筒を廃棄せずに保管して再利用しようとしても、この封筒は長さ方向にサイズが短くなった封筒であるため、封筒としての利用範囲が制約され使い難いという問題がある。
【０００５】
本考案はかかる事情に鑑みてなされたもので、使用後不要になった封筒を切り開いて使用頻度の高い小型サイズの封筒として再利用することが可能な大型封筒を提供することを目的とする。
【課題を解決するための手段】
【０００６】
前記目的に沿う請求項１記載の大型封筒は、表面及び裏面のいずれか一方又は両方に広告欄を有し、該広告欄の広告主から提供される大型封筒であって、
その内側面に小型サイズの封筒の展開図が印刷されている。
このような構成とすることにより、大型封筒を切り開いて内側面を出現させ、展開図の外枠に従って切り取り組み立てることにより、容易に小型サイズの封筒を作製することができる。ここで、展開図は内側面に印刷されているので、大型封筒として利用する際には障害にならず、小型サイズの封筒を作製するまで展開図が汚れるのを防止できる。このため、新品と同様の封筒を作製することができる。
また、広告欄に広告を掲載した広告主は、大型封筒が使用される度に広告効果を得ることができる。このため、広告主に広告掲載料の代りに大型封筒の製作費を負担してもらうことができ、大型封筒を無償で提供することができる。その結果、大型封筒の使用が更に促進され、広告効果も更に増大することになる。
【０００７】
請求項２記載の大型封筒は、請求項１記載の大型封筒において、前記小型サイズの封筒は定型封筒であって、その表側になる面の所定位置には、郵便番号の記載欄が設けられている。
定型封筒とすることで郵便番号の記載欄の位置が決まるため、郵便番号の記載欄を予め設けることができる。また、小型サイズの封筒が定型封筒のため再利用の機会が多くなると共に、郵便用封筒として使用する際には郵送コストを低減することができる。
ここで、定型封筒の最小寸法は長形４号封筒と呼ばれる幅９０ｍｍ、長さ２０５ｍｍであり、最大寸法は長形３号封筒と呼ばれる幅１２０ｍｍ、長さ２３５ｍｍである。従って、長形４号の定型封筒の展開図を印刷する場合、大型封筒のサイズとしては、例えば、幅１８２ｍｍ、長さ２５７ｍｍのＢ５サイズの書類が収納できるサイズであればよい。また、長形３号の定型封筒の展開図を印刷する場合、大型封筒のサイズとしては、例えば、幅２１０ｍｍ、長さ２９７ｍｍのＡ４サイズの書類が収納できるサイズであればよい。このように、大型封筒のサイズを設定しておくと、書類は通常Ｂ５サイズあるいはＡ４サイズの紙を使用して作成される場合が多いので、書類を折らずに大型封筒に入れることができ便利となる。
【０００８】
請求項３記載の大型封筒は、請求項２記載の大型封筒において、前記大型封筒の一つの折り曲げ線を前記小型サイズの封筒の折り曲げ線の一つに用いている。
このような構成とすることにより、切り取った展開図の組み立てを容易に行なうことができる。例えば、大型封筒の側縁の一方を形成する折り曲げ線を小型サイズの封筒の側縁の一方を形成する折り曲げ線にすると、この折り曲げ線には折り癖がついているため容易に逆向きに折り返すことができ、小型サイズの封筒の側縁が容易に形成できる。
【０００９】
請求項４記載の大型封筒は、請求項３記載の大型封筒において、前記展開図を除く前記内側面には、前記大型封筒が使用される地区あるいはその近傍の郵便番号が記載されている。これにより、郵便用封筒として使用する際の利便性が向上する。
【００１０】
請求項５記載の大型封筒は、請求項３記載の大型封筒において、前記展開図を除く前記内側面には、前記広告主の名称記載欄が設けられている。これによって、大型封筒を切り開いて広告欄が見えなくなっても、広告主の名称を示すことができる。
【考案の効果】
【００１１】
請求項１〜５記載の大型封筒においては、大型封筒を小型サイズの封筒として再利用することが容易にでき、紙資源の節約及び再利用を促進することが可能になる。また、大型封筒の広告欄の広告主を募ることで大型封筒を無償で提供することができ、利用者側の利便性の向上と、広告主側の効率的な広告効果の向上を共に可能にすることができる。
【００１２】
特に、請求項２記載の大型封筒においては、小型サイズの封筒は定型封筒であって、その表側になる面の所定位置には、郵便番号の記載欄が設けられているので、小型サイズの封筒を郵便用封筒として使用する際の利便性を向上させることが可能になる。その結果、紙資源の節約及び再利用をより促進することが可能になる。
【００１３】
請求項３記載の大型封筒においては、大型封筒の一つの折り曲げ線を小型サイズの封筒の折り曲げ線の一つに用いているので、展開図の組み立てを容易に行なうことができ、小型サイズの封筒の再利用を促進することが可能になる。
【００１４】
請求項４記載の大型封筒においては、展開図を除く内側面には、大型封筒が使用される地区あるいはその近傍の郵便番号が記載されているので、郵便用封筒として使用する際の利便性が向上し、小型サイズの封筒の再利用を更に促進することが可能になる
【００１５】
請求項５記載の大型封筒においては、展開図を除く内側面には、広告主の名称記載欄が設けられているので、大型封筒を切り開いても広告主の名称を示すことができ、広告効果を維持することが可能になる。
【考案を実施するための最良の形態】
【００１６】
続いて、添付した図面を参照しつつ、本考案を具体化した実施の形態につき説明し、本考案の理解に供する。
ここで、図１（Ａ）、（Ｂ）はそれぞれ本考案の一実施の形態に係る大型封筒の正面図、背面図、図２は同大型封筒の内面の構成を示す説明図である。
図１（Ａ）、（Ｂ）に示すように、本考案の一実施の形態に係る大型封筒は、例えば、市役所の窓口で受領する書類を入れて持ち帰る際に無償で提供される窓口封筒１０であって、その表側及び裏側の上部には窓口封筒１０の表示部１１、１２がそれぞれ設けられ、中央部には市役所から提供される情報を記載する情報記載部１３、１４と、内側面に展開図１５（図２参照）が印刷されていることを知らせる注意書部１６、１７がそれぞれ設けられている。また、窓口封筒１０の下部には、広告欄１８、１９がそれぞれ備えられている。
なお、窓口封筒１０の表面（裏面）における表示部１１（１２）、情報記載部１３（１４）、注意書部１６（１７）、及び広告欄１８（１９）の各面積の割合には制約はないが、広告欄１８（１９）の面積割合は、例えば、１／２〜１／３が好ましい。このような面積割合となるように構成することにより、窓口封筒１０としての機能を保持しながら、窓口封筒１０が使用される際に、広告効果を発現させることができる。
【００１７】
更に、窓口封筒１０を切り開いて内側面の展開図１５を出現させるためのカット位置として、窓口封筒１０の一方の側縁及び底縁の内側には、例えば、「切り取り線」の表示を備えた切り取り線２０、２１、２２、２３がそれぞれ設けられている。なお、符号２４は窓口封筒１０の裏面の上端中央部に設けられた切り欠き部であり、これによって、窓口封筒１０の上端の開口部２５を容易に開くことができる。
図２に示すように、大型封筒１０の内面側には、小型サイズの封筒の一例である定型封筒の展開図１５が印刷されており、展開図１５を除く内側面（展開図１５の枠外の内側面）には、窓口封筒１０が使用される地区あるいはその近傍の郵便番号が記載された郵便番号表示一覧部２６と、広告欄１８、１９の広告主の名称記載欄２７が設けられている。以下これらについて、詳細に説明する。
【００１８】
表示部１１、１２は、「窓口封筒」の表示と、例えば「書類を入れてお持ち帰り下さい」というような窓口封筒１０が自由に利用できることを示す表示から構成されている。これによって、窓口の傍に窓口封筒１０を準備しておくと、書類を受け取る際に窓口封筒１０が存在すること、及び自由に使用できることが認識できる。
情報記載部１３、１４は、例えば「あなたの申請されたものかもう一度お確かめ下さい」という注意文、市役所から住民に対する各種案内、市役所内に各部署の電話番号、市役所へ各種届出を行なう際の方法、市役所から各種書類の交付を受ける際の方法等から構成されている。これによって、受領された書類の再確認を促すことができると共に、行政側から種々の案内を同時に行なうことができる。
注意書部１６、１７は、例えば、「この封筒の内側面には封筒の展開図が書かれていますので、切り取り線で切り開いてお使い下さい」という注意文から構成されている。これによって、窓口封筒１０が再利用できる封筒であることを示すことができる。
【００１９】
広告欄１８、１９は、広告の掲載を希望した広告主が自由に広告宣伝用に使用することができるスペースである。ここで、広告欄１８、１９の使用方法に特に制限はなく、例えば、各広告欄１８、１９を同一の広告主が使用してもよいし、各広告欄１８、１９を異なる広告主で使用してもよい。更に、１つの広告欄１８、１９を複数の広告主で分割して使用しても、共同で使用してもよい。
切り取り線２０と切り取り線２１、及び切り取り線２２と切り取り線２３は、それぞれ互いに重なるように窓口封筒１０の表面及び裏面に設けられている。これによって、表面あるいは裏面のいずれの面からでも切り取り線２０、２１、２２、２３に沿って窓口封筒１０をカットすることができると共に、窓口封筒１０を切り開く際に、展開図１５が破損を受けるのを防止できる。
【００２０】
展開図１５は、図２に示すように、窓口封筒１０の一つの折り曲げ線Ｌ（ここでは、側縁を形成する折り曲げ線）が定型封筒の折り曲げ線の一つ（ここでは、側縁を形成する折り曲げ線）に重なるように印刷されている。そして、展開図１５は、貼り合わせた際に定型封筒の表側になる面を構成する封筒正面部２８と、裏側になる面を構成する封筒背面部２９と、側部のり代３０と、底部のり代３１と、封舌片３２を有している。更に、封筒正面部２８の所定位置には、郵便番号の記載欄３３、郵便切手の貼付欄３４が設けられている。
なお、符号３５、３６はそれぞれ窓口封筒１０の側部のり代、底部のり代である。ここで、側部のり代３５と底部のり代３６は窓口封筒１０の裏面に接着されているので、切り取り線２０（２１）及び切り取り線２２（２３）に沿って窓口封筒１０を切り開き、展開図１５を出現させた場合、側部のり代３５と底部のり代３６は出現しない。
広告主の名称記載欄２７は、例えば、「この窓口封筒は下記のご厚意に作製されたものです」という冠記と、広告欄１８、１９を使用している全広告主の名称列記から構成されている。これによって、窓口封筒１０を切り開いて広告欄１８、１９が見えなくなっても、広告主の名称を示すことができ、広告効果がより高まる。
【００２１】
次に、本考案の一実施の形態に係る窓口封筒１０の使用方法について説明する。
先ず、市役所は、窓口封筒１０の広告欄１８、１９に広告掲載を希望する広告主を募集する。募集された広告主は、広告欄１８、１９に掲載する広告内容を独自に決定し、所定枚数の窓口封筒１０を作製し市役所に提供する。市役所は提供された窓口封筒１０を各窓口に配備しておく。
戸籍謄本、住民票、印鑑登録証明書等の各種書類が必要な住民は、市役所の窓口で書類の交付手続を行ない、書類を受領する。このとき、住民は、窓口封筒１０の表面の表示部１１の「窓口封筒」という表示により窓口封筒１０が存在することを知り、更に「書類を入れてお持ち帰り下さい」の表示からこの窓口封筒１０が自由に利用できることを知る。そこで、書類を受領する際に窓口封筒１０も同時に受領され、書類は窓口封筒１０に入れられる。なお、窓口封筒１０が裏返しに置かれていても裏面の表示部１２に同様の記載がされているので、窓口封筒１０の存在と自由に利用できることが認知される。
【００２２】
書類が窓口封筒１０に装入される際に、情報記載部１３、１４に記載された「あなたの申請されたものかもう一度お確かめ下さい」という注意文が視認されるので、書類の再確認が行なわれる可能性が高くなる。情報記載部１３、１４には、住民に対する各種案内、各部署の電話番号、届出や書類交付の手続方法等の各種情報が記載されているので、行政側からの各種情報が同時に伝達される。
また、注意書部１６、１７の「この封筒の内側面には封筒の展開図が書かれていますので、切り取り線で切り開いてお使い下さい」という表示から、この窓口封筒１０は再利用できることが認識され、窓口封筒１０から書類が出される際に、再度、注意書部１６、１７の表示が視認されるので、この窓口封筒１０が廃棄される可能性は低くなる。
更に、この窓口封筒１０が持ち運ばれる際に広告欄１８、１９に掲載された広告は不特定多数の者の目に曝されるため、効率的な宣伝が行なわれる。
【００２３】
ここで、窓口封筒１０が再利用される場合、先ず、切り取り線２０、２２に沿って窓口封筒１０の側縁部及び底縁部がカットされ、切り取り線２０、２２より外側に存在する側カット部３７、底カット部３８が切り取られる。ここで、窓口封筒１０の側縁部及び底縁部のカットは、切り取り線２０、２３、切り取り線２１、２２、及び切り取り線２１、２３のいずれか１つに沿って行なわれてもよい。
これによって、窓口封筒１０の内側面が開かれて展開部１５が出現する。このとき、展開図１５の枠外に存在する郵便番号表示一覧部２６と広告主の名称記載欄２７も同時に出現するので、送付先が市内あるいはその近傍地域である場合は、郵送先の郵便番号を直ちに把握できる。また、この窓口封筒１０の提供者（広告主者）の名称が表示されることから、再度広告効果が現れる。
そして、出現した展開図１５をその外枠に沿って切り取って展開図１５を取り出し、窓口封筒１０の折り曲げ線Ｌを逆向きに折り返すことにより、定型封筒の一方の側縁が形成される。次いで、側部のり代３０及び底部のり代３１を折り曲げ線Ｌと同一方向にそれぞれ折り返し、のり付けする。これによって、封筒正面部２８の側部と封筒背面部２９の側部が側部のり代３０を介して接続され、封筒正面部２８の底部と封筒背面部２９の底部が底部のり代３１を介して接続されて定型封筒が形成される。
【００２４】
以上、本考案の実施の形態を説明したが、本考案は、この実施の形態に限定されるものではなく、考案の要旨を変更しない範囲での変更は可能であり、前記したそれぞれの実施の形態や変形例の一部又は全部を組み合わせて本考案の大型封筒を構成する場合も本考案の権利範囲に含まれる。
例えば、窓口封筒の表面及び裏面にそれぞれ広告欄を設けたが、表面及び裏面のいずれか一方に広告欄を設けるようにしてもよい。窓口封筒の表面及び裏面に設けた表示部、情報記載部、注意書部、及び広告欄のレイアウト、印刷文の内容も変更することができ、内側面に設けた展開図、郵便番号表示一覧部、広告主の名称記載欄のレイアウト、印刷文の内容も変更することができる。
また、展開図の外枠をミシン目で描き、展開図の折れ線部分に折れ目を予め付けるようにしてもよい。これによって、展開図の切り取り及び組み立てが容易になって大型封筒の再利用をより促進することができる。
更に、大型封筒は市役所で提供される窓口封筒に限定されることはなく、例えば、大型封筒の表面及び裏面のいずれか一方又は両方の下部に広告欄のみを設けて、例えば、通信用封筒として利用することもできる。
【図面の簡単な説明】
【００２５】
【図１】（Ａ）、（Ｂ）はそれぞれ本考案の一実施の形態に係る大型封筒の正面図、背面図である。
【図２】同大型封筒の内面の構成を示す説明図である。
【図３】従来例に係る再利用できる封筒の展開図である。
【図４】従来例に係る再利用できる封筒の説明図である。
【図５】従来例に係る再利用する際の封筒の説明図である。
【符号の説明】
【００２６】
１０：窓口封筒、１１、１２：表示部、１３、１４：情報記載部、１５：展開図、１６、１７：注意書部、１８、１９：広告欄、２０、２１、２２、２３：切り取り線、２４：切り欠き部、２５：開口部、２６：郵便番号表示一覧部、２７：広告主の名称記載欄、２８：封筒正面部、２９：封筒背面部、３０：側部のり代、３１：底部のり代、３２：封舌片、３３：郵便番号の記載欄、３４：郵便切手の貼付欄、３５：側部のり代、３６：底部のり代、３７：側カット部、３８：底カット部
【図１】
0003105557.tif 000003
【図２】
0003105557.tif 000004
【図３】
0003105557.tif 000005
【図４】
0003105557.tif 000006
【図５】
0003105557.tif 000007